(57)【要約】【課題】撮像装置から動画像コンテンツをアップロードする場合、消費電力を節約し電力不足によるアップロードの失敗をなくす。【解決手段】撮像装置２００は、駆動電源２１２の種類が電池か交流電源かを判別する電源判別手段２２２と、駆動電源が電池の場合、現在の電池の残量Ｐを取得し規定値Ｐ０と比較する電池残量取得手段２２３とを備える。現在の電池の残量Ｐが規定値Ｐ０未満の場合は、通信モジュール部２１３による画像コンテンツの送信動作を中断する。また、中断するコンテンツの中断ポイントの情報を中断情報保存手段２２４に保存する。【選択図】図２
2010118754.tif 000002
【特許請求の範囲】
【請求項１】
被写体を撮影し生成した画像コンテンツを外部機器へ送信する撮像装置において、
被写体を撮影し映像信号に変換する撮像部と、
上記映像信号を圧縮ストリーム形式の画像コンテンツとして保存するコンテンツ蓄積部と、
上記画像コンテンツを再生して画像表示する表示部と、
上記画像コンテンツをインターネットを介して外部機器へ送信する通信モジュール部と、
駆動電源の種類が電池か交流電源かを判別する電源判別手段と、
駆動電源が電池の場合、上記通信モジュール部への電力供給を中止する節電モードに設定する節電モード設定手段と、
を備えることを特徴とする撮像装置。
【請求項２】
被写体を撮影し生成した画像コンテンツを外部機器へ送信する撮像装置において、
被写体を撮影し映像信号に変換する撮像部と、
上記映像信号を圧縮ストリーム形式の画像コンテンツとして保存するコンテンツ蓄積部と、
上記画像コンテンツを再生して画像表示する表示部と、
上記画像コンテンツをインターネットを介して外部機器へ送信する通信モジュール部と、
駆動電源の種類が電池か交流電源かを判別する電源判別手段と、
駆動電源が電池の場合、現在の電池の残量Ｐを取得し規定値Ｐ０と比較する電池残量取得手段と、を備え、
現在の電池の残量Ｐが規定値Ｐ０未満の場合は、上記通信モジュール部による上記画像コンテンツの送信動作を中断することを特徴とする撮像装置。
【請求項３】
請求項２に記載の撮像装置において、
前記通信モジュール部による送信動作を中断する場合、電池残量不足のため送信を中断する旨の情報を前記表示部に表示することを特徴とする撮像装置。
【請求項４】
請求項２または３に記載の撮像装置において、
前記通信モジュール部による送信動作を中断する場合、中断するコンテンツの中断ポイントの情報を保存する中断情報保存手段を備えることを特徴とする撮像装置。
【請求項５】
請求項４に記載の撮像装置において、
前記中断情報保存手段に中断コンテンツに関する情報が保存されている場合、前記表示部に該中断コンテンツの存在を表示し、
前記通信モジュール部は、該中断コンテンツの送信を前記中断ポイントから再開することを特徴とする撮像装置。
【請求項６】
被写体を撮影し生成した画像コンテンツを外部機器へ送信する撮像装置において、
被写体を撮影し映像信号に変換する撮像部と、
上記映像信号を圧縮ストリーム形式の画像コンテンツとして保存するコンテンツ蓄積部と、
上記画像コンテンツを再生して画像表示する表示部と、
上記画像コンテンツをインターネットを介して外部機器へ送信する通信モジュール部と、
駆動電源の種類が電池か交流電源かを判別する電源判別手段と、
駆動電源が電池の場合、上記画像コンテンツの送信開始前に該画像コンテンツの送信完了時点での電池の残量Ｐ’を予測し規定値Ｐ０と比較する電池残量予測手段と、を備え、
予測電池残量Ｐ’が規定値Ｐ０未満の場合は、送信完了するには電池残量が不足する旨の情報を前記表示部に表示することを特徴とする撮像装置。
【請求項７】
請求項６に記載の撮像装置において、
前記予測電池残量Ｐ’が規定値Ｐ０未満の場合は、前記表示部に、前記予測した電池残量Ｐ’と、交流電源への接続を促す情報を表示することを特徴とする撮像装置。
【発明の詳細な説明】
【技術分野】
【０００１】
本発明は、動画像を撮影し、撮影した動画像をインターネットを介してウェブサーバにアップロードする撮像装置に関するものである。
【背景技術】
【０００２】
近年、ソーシャルネットワーキングサービス（以下、ＳＮＳ）、ウェブログ（以下、ブログ）などのように、インターネット上でユーザが日記や動画像コンテンツを公開するためのサービスが普及している。これらのサービスは、ウェブブラウザ上の専用のフォームから文章や動画像等のコンテンツを入力し、ウェブ（ＷＥＢ）サーバにアップロードすることでコンテンツを簡単に投稿することができる。同様に、動画共有サイトなどのように、動画像をＷＥＢ上で共有するための専用サービスも普及している。これによれば、ＷＥＢブラウザの専用フォームや動画像ファイルアップロードソフトを用いてサーバにアップロードし、動画像コンテンツを不特定多数のユーザで共有することができる。
【０００３】
動画像コンテンツをＷＥＢ上で利用するためには、まず、デジタルカメラやビデオカメラなどによって被写体を撮影する。撮影した動画像コンテンツをＷＥＢサーバにアップロードするには、カメラからＰＣ（Personal Computer）などのインターネット接続が可能な機器へコンテンツをコピーし、ＰＣからアップロードする必要がある。しかしユーザの利便性を考慮すると、デジタルカメラやビデオカメラで撮影したコンテンツを一旦ＰＣにコピーするよりも、直接ＷＥＢサーバにアップロードできた方が手間がかからず便利である。無線通信機能付の撮像装置から直接サーバ等に画像を送信する場合の通信手順に関し、次のような提案がなされている。
【０００４】
特許文献１では、電車等で移動中のユーザが無線通信機能付のデジタルカメラから写真店のサーバへプリント注文する場合、通信によりサービス情報を受信し、通信を切断して注文情報を生成し、通信可能エリア内に移動したとき注文情報と画像データを送信することが開示されている。また、デジタルカメラが通信可能エリア内にあるか否かを検出する検出手段を有し、検出手段で検出中は動作モードを省電力モードに切り替えることが記載される。
【０００５】
また特許文献２では、デジタルカメラと、通信手段を持つ通信アダプタを別構成とし、撮影した画像を保存する着脱式記録手段を通信アダプタに接続して画像をサーバに送信することで、通信中でも撮影を妨げないデジタルカメラが開示されている。また通信アダプタは、画像送信後サーバ上のコマンドファイルの有無を調べ、コマンドファイルがなければ省電力状態に移行することが記載されている。
【０００６】
【特許文献１】特開２００４−２８９６１９公報
【特許文献２】特開２００６−１９７２１４公報
【発明の開示】
【発明が解決しようとする課題】
【０００７】
特許文献１や特許文献２に記載の技術を用いれば、カメラ等の撮像装置から無線ＬＡＮ経由で、撮影した画像を所望のサーバに送信することができる。またこれらの特許文献に記載の装置では、通信手段に省電力モードを設けることで通信手段での電力消費を節約することができる。
【０００８】
しかし、特許文献１や特許文献２の場合、デジタルカメラで撮影した静止画をサーバに送信することを前提としたものであり、動画像コンテンツ、特に１９２０×１０８０のフルハイビジョン画質で撮影された動画の場合には節電効果は十分とは言えず、また新たな課題が発生する。なぜなら動画の場合は静止画よりもファイルサイズが非常に大きく、コンテンツのアップロードに長時間を要する。よって、動画のアップロード動作では消費電力が大きく、電池駆動で利用することが多いビデオカメラにとって大きな負担となる。さらには、動画アップロード中に電力不足で送信動作が中断した場合、送信済みのファイルが不完全に終了するために、第三者がサーバからダウンロードして正常に閲覧できない恐れがある。
【０００９】
本発明の目的は、動画像コンテンツをアップロードする場合、消費電力を節約し、電力不足によるアップロードの失敗のない撮像装置を提供することである。
【課題を解決するための手段】
【００１０】
本発明は、被写体を撮影し生成した画像コンテンツを外部機器へ送信する撮像装置において、被写体を撮影し映像信号に変換する撮像部と、映像信号を圧縮ストリーム形式の画像コンテンツとして保存するコンテンツ蓄積部と、画像コンテンツを再生して画像表示する表示部と、画像コンテンツをインターネットを介して外部機器へ送信する通信モジュール部と、駆動電源の種類が電池か交流電源かを判別する電源判別手段と、駆動電源が電池の場合、通信モジュール部への電力供給を中止する節電モードに設定する節電モード設定手段と、を備える。
【００１１】
本発明は、被写体を撮影し生成した画像コンテンツを外部機器へ送信する撮像装置において、被写体を撮影し映像信号に変換する撮像部と、映像信号を圧縮ストリーム形式の画像コンテンツとして保存するコンテンツ蓄積部と、画像コンテンツを再生して画像表示する表示部と、画像コンテンツをインターネットを介して外部機器へ送信する通信モジュール部と、駆動電源の種類が電池か交流電源かを判別する電源判別手段と、駆動電源が電池の場合、現在の電池の残量Ｐを取得し規定値Ｐ０と比較する電池残量取得手段と、を備え、現在の電池の残量Ｐが規定値Ｐ０未満の場合は、通信モジュール部による画像コンテンツの送信動作を中断する。
【００１２】
ここで、通信モジュール部による送信動作を中断する場合、中断するコンテンツの中断ポイントの情報を保存する中断情報保存手段を備える。
また、中断情報保存手段に中断コンテンツに関する情報が保存されている場合、表示部に中断コンテンツの存在を表示し、通信モジュール部は、中断コンテンツの送信を中断ポイントから再開する。
【００１３】
本発明は、被写体を撮影し生成した画像コンテンツを外部機器へ送信する撮像装置において、被写体を撮影し映像信号に変換する撮像部と、映像信号を圧縮ストリーム形式の画像コンテンツとして保存するコンテンツ蓄積部と、画像コンテンツを再生して画像表示する表示部と、画像コンテンツをインターネットを介して外部機器へ送信する通信モジュール部と、駆動電源の種類が電池か交流電源かを判別する電源判別手段と、駆動電源が電池の場合、画像コンテンツの送信開始前に画像コンテンツの送信完了時点での電池の残量Ｐ’を予測し規定値Ｐ０と比較する電池残量予測手段と、を備え、予測電池残量Ｐ’が規定値Ｐ０未満の場合は、送信完了するには電池残量が不足する旨の情報を前記表示部に表示する。
【発明の効果】
【００１４】
本発明によれば、撮影した動画像コンテンツをＷＥＢサーバにアップロードするとき、消費電力を節約するとともに、電力不足によるアップロードの失敗を防止することが可能となる。
【発明を実施するための最良の形態】
【００１５】
以下、本発明の実施形態を図面を用いて説明する。
図１は、本発明の撮像装置を用いたコンテンツ送信システムの一例を示す構成図である。本システムは、通信機能付の撮像装置１００、インターネット１０３、ＷＥＢサーバ１０４、及び外部機器で構成される。
【００１６】
ユーザ（撮影者）１１０は、撮像装置１００により被写体を撮影する。撮影した画像は必要に応じてコンテンツ加工処理を行い、通信機能を用いてＷＥＢサーバ（ブログサーバやＳＮＳサーバ）１０４へアップロードする。コンテンツデータ１０５のアップロードは、ＬＡＮ環境１０１内のアクセスポイント／ルータ１０２を経由してインターネット１０３上のＷＥＢサーバ１０４にコンテンツデータ１０５を送信し、格納される。ＬＡＮ環境１０１は有線ＬＡＮでも無線ＬＡＮでもどちらでもかまわない。有線ＬＡＮの場合は、ルータを経由してインターネット１０３に接続する。無線ＬＡＮの場合は、アクセスポイントを経由してインターネット１０３に接続する。一方遠隔地にいるユーザ（閲覧者）１１１は、ＰＣ１０６、携帯電話１０７、ＤＴＶ（Digital Television）１０８などのＷＥＢブラウザを搭載した外部機器（端末）からＷＥＢサーバ１０４にアクセスする。そして、ＷＥＢサーバ１０４に格納されているコンテンツデータ１０５を閲覧することができる。
【００１７】
図２は、本発明の撮像装置の一実施例を示す構成図である。
撮像装置２００（１００）は、撮影部として、レンズ２０１、撮像素子２０２、カメラＤＳＰ（Digital Signal Processor）２０３、マイク２０４を有する。コンテンツ処理のため、圧縮伸長回路２０５、ＣＰＵ（Central Processing Unit）２０６、メモリ（ＲＡＭ）２０７、コンテンツ蓄積部２０８、グラフィック回路２０９、表示部２１０、ＲＯＭ（Read Only Memory）２１４を有する。さらに、電源回路２１１、電源２１２、通信モジュール部２１３を有する。そしてそれらの構成要素はバス２１５によって接続され、各構成要素間でデータを転送する。
【００１８】
被写体からの光信号は、レンズ２０１を介し撮像素子２０２によって電気信号（デジタル映像信号）に変換される。カメラＤＳＰ２０３は、映像信号を圧縮伸長回路２０５に入力できる形式に変換する。マイク２０４からの音声信号は、バス２１５を介して圧縮伸長回路２０５に入力される。圧縮伸長回路２０５は、入力された映像・音声信号から所定のフォーマットの圧縮ストリームを生成し、コンテンツ蓄積部２０８は生成されたストリームを保存する。メモリ２０７は、圧縮処理のためのワークエリアとして用いる。コンテンツ蓄積部２０８には、ＨＤＤ、光ディスク、半導体メモリ等を用いる。
【００１９】
撮影した画像を再生する場合には、コンテンツ蓄積部２０８に保存されている圧縮ストリームをメモリ２０７へ読み出す。圧縮伸長回路２０５は、メモリ２０７からストリームを読み出し伸長処理を行う。伸長した画像データはグラフィック回路２０９に渡され、表示部２１０にて再生画像を表示する。
【００２０】
通信モジュール部２１３は、アクセスポイント／ルータ１０２を介してインターネット１０３へ接続し、ＷＥＢサーバ１０４へ画像データを送信（アップロード）する。その際送信する画像データは、保存している圧縮ストリームを必要に応じてさらに加工したものでもよい。また送信するデータには、ファイル転送プロトコルの各種コマンドを含む。
ＲＯＭ２１４は、上記の動作を実行するためのプログラムを格納し、ＣＰＵ２０６はプログラムに従い各部の動作を制御する。電源２１２には電池（バッテリー）と交流電源を用いることができ、電源回路２１１は装置内の電力供給を制御する。
【００２１】
本実施例では、電源２１２として電池を用いる場合、電池の残量を監視し電力消費を制限する。これにより、アップロード途中で通信モジュール部２１３への電力が不足しアップロードに失敗することを未然に防ぐようにしている。これを実現するために、ＲＯＭ２１４には次のソフトウェア手段を格納している。なお、これらの手段はハードウェアで実現しても良い。
【００２２】
節電モード設定手段２２１は、予めユーザが節電スイッチを「通常モード」または「節電モード」のいずれかに設定し、設定された情報を記憶する。「節電モード」の場合は、電池駆動によるアップロード動作を禁止して電池の節約を行うものである。
電源判別手段２２２は、駆動電源の種類が電池か、交流電源（ＡＣアダプタ）かを判別する。電池の場合には電力供給を制限する。
【００２３】
電池残量取得手段２２３は、現在の電池の残量Ｐを取得し規定値Ｐ０と比較する。電池残量Ｐが規定値Ｐ０未満の場合は、アップロード動作を中断する。
中断情報保存手段２２４は、アップロード動作を中断した場合、コンテンツの中断ポイントの情報を保存する。中断ポイントの情報としては、送信したファイルサイズや、送信ストリームのタイムスタンプなどを用いる。また中断情報を利用することで、次回アップロードするときファイルの途中からスムーズに送信再開することができる。
電池残量予測手段２２５は、アップロード開始前に、アップロード完了時点での電池残量を予測する。予測方法は、送信するファイルのアップロード時間と、通信モジュール部２１３の時間当たりの消費電力から計算する。予測電池残量Ｐ’が規定値Ｐ０未満の場合は、アップロードを開始せず電池残量が不足することを警告表示する。
【実施例１】
【００２４】
実施例１におけるコンテンツのアップロード処理を具体的に説明する。本実施例では、電池を節約する「節電モード」を利用し、電池駆動の場合には、アップロードを禁止して電池の節約を行うものである。
図３は、実施例１におけるコンテンツアップロード処理の一例を示すフローチャート（Ｓ３００）である。ユーザが撮影した画像データ（コンテンツ）は、コンテンツ蓄積部２０８に圧縮ストリーム形式でファイル単位に保存されている。
【００２５】
ステップＳ３０１では、予めユーザは節電スイッチを「通常モード」または「節電モード」のいずれかに設定する。設定した情報は、節電モード設定手段２２１に記憶される。
ステップＳ３０２では、ユーザからアップロードの指示を受けると、アップロードモードへの切替えを行う。アップロードモードへの指示は、例えばアップロード釦を押すことで実現する。あるいは、表示部２１０にＧＵＩメニューを表示しコンテンツアップロードを選択することで実現する。
ステップＳ３０３では、アップロード可能なコンテンツファイル群を表示部２１０に表示する（図４）。
ステップＳ３０４では、ユーザはコンテンツファイル群からアップロードするコンテンツファイルを選択する。
ステップＳ３０５では、電源判別手段２２２にて駆動電源の種類（電池、交流電源）を判別する。電池の場合はステップＳ３０６へ進み、交流電源の場合はステップＳ３０７へ進む。
【００２６】
ステップＳ３０６では、節電モード設定手段２２１が節電モードか通常モードかを判別する。節電モードに設定されていればステップＳ３１０へ進み、通常モードの場合はステップＳ３０７へ進む。
ステップＳ３０７では、電源回路２１１により、通信モジュール部２１３へ電力を供給する。
ステップＳ３０８では、コンテンツ蓄積部２０８から送信するコンテンツを読み出し、通信モジュール部２１３からＷＥＢサーバに向けてコンテンツをアップロード（送信）する。
ステップＳ３０９では、アップロードが終わると通信モジュール部２１３への電力供給を停止する。
ステップＳ３１０では、アップロードができない旨の警告を画面表示して（図５）、処理を終了する。
【００２７】
図４は、図３のステップＳ３０３、Ｓ３０４におけるアップロード用ファイルの選択画面の表示例を示す。
画面４００には、アップロード用ファイルの選択を促すメッセージ４０１を表示する。そして、コンテンツ蓄積部２０８に保存されているコンテンツ群の一覧をサムネイル４０２にて表示する。ユーザは選択枠４０３を移動させて、アップロードしたいコンテンツファイルを選択する。ここでは、「ｆｉｌｅ００４」を選択している。アップロード選択画面表示を止める場合は、キャンセル釦４０４を選択する。
【００２８】
図５は、図３のステップＳ３１０における警告画面の表示例を示す。
画面５００には、アップロードができない旨のメッセージ５０１を表示する。またメッセージには、節電モードを通常モードに切り替えること、あるいは交流電源（ＡＣアダプタ）を使用することを促す内容を追加する。モード切替釦５０２は節電モードと通常モードの切り替えを行うためのものである。警告画面表示を止める場合は、キャンセル釦５０３を選択する。
【００２９】
このように、実施例１では節電モードを設定し、電源が電池による駆動の場合には、電力消費が大きい通信モジュール部２１３の動作を中止させることができるので、電池の節約を行える。これにより、アップロード途中で通信モジュール部２１３への電力が不足し、アップロードに失敗することを未然に防ぐことができる。ユーザは撮影状況を考慮して節電モードを選択すればよい。さらに本実施例では、コンテンツのアップロード開始期間だけ通信モジュール部２１３への電力を供給し、それ以外の期間（例えば撮影時）は電力供給を停止することによって、消費電力の節約が可能である。
【実施例２】
【００３０】
実施例２は、アップロード中に電池残量を確認し、規定値未満のときはアップロード中断処理を行うものである。
図６は、実施例２のアップロード処理のフローチャート（Ｓ６００）を示す。ここでは、前記実施例１（図３）のアップロード処理（ステップＳ３０８）の詳細を示す。他のステップは図３と同様であり、説明を省略する。
【００３１】
ステップＳ６０１では、選択したコンテンツファイルをアップロードするかどうかを画面にて確認を行う（図８）。
Ｓ６０２では、通信モジュール部２１３は無線ＬＡＮの範囲内にあるアクセスポイント１０２を探索する。アクセスポイント１０２が見つかれば、インターネット１０３を介して送信先のＷＥＢサーバ１０４に接続する。
Ｓ６０３では、コンテンツ蓄積部２０８からファイルを読み出し、ファイル転送プロトコルを用いてＷＥＢサーバ１０４にファイル送信を開始する。
ステップＳ６０４では、アップロード途中でユーザによりキャンセルの指示を受けたかどうかを判定する。キャンセルの指示を受けた場合は、ステップＳ６０８へ進みアップロード中断処理を行う。キャンセルの指示がなければ、ステップＳ６０５へ進む。
ステップＳ６０５では、電源判別手段２２２にて駆動電源の種類（電池、交流電源）を判別する。電池の場合はステップＳ６０６へ進み、交流電源の場合はステップＳ６０７へ進む。
【００３２】
ステップＳ６０６では、電池残量取得手段２２３にて現在の電池残量Ｐを取得し、規定値Ｐ０を比較する。なお規定値Ｐ０は、ステップＳ６０８のアップロードの中断処理に必要な電力を確保した量とする。すなわち、図７に示す一連のアップロード中断処理（中断ポイントの記録、ファイルクローズ処理、ＷＥＢサーバとの接続切断、中断情報表示処理）を滞りなく行うために必要な電力をＰ０に定めることとする。電池残量Ｐが規定値Ｐ０以上の場合は、ステップＳ６０７へ進む。電池残量Ｐが規定値Ｐ０未満の場合は、電池残量がコンテンツのアップロード完了に十分ではないとして、ステップＳ６０８へ進みアップロード中断処理を行う。
ステップＳ６０７では、送信すべきファイル読み出しが終了したかどうかを判定する。終了していなければ、ステップＳ６０３へ戻り引き続きファイルの読み出しと送信を継続する。ファイル読み出しが終了すると、アップロード処理を終了する。
ステップＳ６０８では、ファイルの送信を中止し、中断処理としてコンテンツファイルのクローズ処理を行う。アップロード中断処理の詳細については図７で説明する。
【００３３】
図７は、図６のアップロード中断処理（ステップＳ６０８）の内容を示すフローチャート（Ｓ７００）である。
ステップＳ７０１では、アップロードしていたコンテンツの中断ポイントの情報を中断情報保存手段２２４へ記録する。中断ポイントの情報としては、送信したファイルサイズや、送信ストリームのタイムスタンプなどを用いる。
ステップＳ７０２では、アップロードしていたコンテンツファイルのクローズ処理を行う。
ステップＳ７０３では、通信モジュール２１３はＷＥＢサーバ１０４とのネットワーク接続を切断する。
ステップＳ７０４では、表示部２１０にアップロードが中断した旨の情報を画面表示する（図９）。
【００３４】
図８は、図６のステップＳ６０１におけるアップロード開始画面の表示例である。画面８００には、アップロード開始の最終確認をするメッセージ８０１を表示する。ここでは、「ｆｉｌｅ００４」のアップロードを確認しており、そのファイルのサムネイル８０２を表示している。ユーザがアップロード実行釦８０３を選択するとアップロード処理が実行され、キャンセル釦７０４を選択するアップロード処理はキャンセルされる。
【００３５】
図９は、図７のステップＳ７０４におけるアップロード中断画面の表示例である。画面９００には、メッセージ９０１、中断ポイントのサムネイル９０２、電池残量インジケータ９０３、ＯＫ釦９０５が表示される。メッセージ９０１では、電池残量が少ないためアップロードを中断した旨を通知する。電池残量インジケータ９０３には現在の電池残量９０４が表示される。ＯＫ釦９０５は、ユーザがアップロードの中断を了承する際に選択する。これによりユーザは、アップロードが中断したこととその理由を知ることができる。
【００３６】
実施例２では、アップロード中に電池残量を確認し、規定値未満のときはアップロード中断処理を行うものである。これにより、装置内のコンテンツ蓄積部への電力供給が突然停止し、アクセス中のファイルが破壊するリスクをなくすことができる。一方、ＷＥＢサーバに送信済みのコンテンツについても、送信終了処理を正常に行うことにより、第三者がアクセスして正常に閲覧することができる。
【００３７】
また、アップロードの中断に関する情報を表示することで、ユーザは指定したコンテンツのアップロードが完了しなかったことを知ることができ、利便性が向上する。さらに、中断ポイントをメモリに記録しておくことによって、ＷＥＢサーバに途中までアップロードされたファイルとの整合性をとることができ、次回アップロードを再開する場合に有効である。本実施例は、電池容量の許す限り、画像コンテンツを急いでアップロードしたい場合に有効である。
【実施例３】
【００３８】
実施例３は、コンテンツをＷＥＢサーバへアップロード開始する前に、アップロード完了時点での電池残量を見積もることによって、より確実にアップロードを実行させるものである。
図１０は、実施例３によるアップロード処理のフローチャート（Ｓ１０００）を示す。
【００３９】
ステップＳ１００１では、電源判別手段２２２にて駆動電源の種類（電池、交流電源）を判別する。電池の場合はステップＳ１００２へ進み、交流電源の場合は前記図６のステップＳ６００へ進みアップロード処理を開始する。
ステップＳ１００２では、電池残量予測手段２２５にて、アップロード完了時点での電池残量の見積りを行う。残量見積り方法は、アップロードするファイルのサイズとコンテンツ転送速度からアップロード時間を求め、通信モジュール部２１３の時間当たりの消費電力から計算することができる。
ステップＳ１００３では、予測した電池残量Ｐ’を規定値Ｐ０と比較する。この規定値Ｐ０も、アップロードの中断処理に必要な電力を確保した量とする。予測電池残量Ｐが規定値Ｐ０以上の場合には、ステップＳ６００へ進みアップロード処理を開始する。予測電池残量Ｐが規定値Ｐ０未満の場合は、ステップＳ１００４へ進む。
【００４０】
ステップＳ１００４では、アップロード処理を開始せず、ユーザに対してアップロード後の予測電池残量が不足する旨の警告情報を画面表示する（図１１）。
ステップＳ１００５では、警告表示に対するユーザからの指示を受ける。アップロードのキャンセルが指示された場合は、アップロード処理を行わず終了する。あるいは、予測電池残量が不足しているがアップロード処理を行うことが再度指示された場合は、ステップＳ６００でアップロード処理を強行する。
【００４１】
なお、図６のアップロード処理（ステップＳ６００）では、アップロード開始後も現在の電池残量を監視し（Ｓ６０６）、電池残量が少なくなったらアップロード中断処理を行うようにしている。よって、アップロード処理が途中で失敗することはない。
【００４２】
図１１は、図１０のステップＳ１００４における警告画面の表示例である。画面１１００には、警告メッセージ１１０１、電池の使用状況を示す電池残量インジケータ１１０２、アップロード釦１１０４、キャンセル釦１１０５が表示される。警告メッセージ１１０１では、選択したコンテンツをアップロード完了するには電池残量が足りない旨を通知する。また代替電源として、交流電源（ＡＣアダプタ）を接続することを促す。電池残量インジケータ１１０２には、予測電池残量１１０３を表示する。これより、ユーザは電池の消費予測を把握することができる。ユーザはキャンセル釦１１０５を選択すれば、アップロードを行わず終了する。一方、ユーザがアップロード釦１１０４を選択すれば、電池残量がアップロード完了するための電力量に満たない場合でもアップロードを強行開始する。
【００４３】
実施例３では、アップロード開始前にアップロード完了時点の電池残量を見積もることによって、処理の開始を判断する。よって、アップロード途中で突然電力不足に陥いることがなく、アップロードをより確実に実行することができる。また、電池不足に関する情報を事前に表示し、ユーザはそのときの状況に応じてアップロード処理を強行開始するか否か、あるいは交流電源への切り替えを行うか、の的確な判断を行うことができるので、ユーザの利便性が向上する。
【００４４】
また、予測電池残量が規定値未満であってアップロード処理を強行開始した場合でも、前記実施例２と組み合わせることにより、アップロード中の電池残量が規定値に近づいたらアップロードを中断し、中断に関する情報を表示することができるので、アップロードに失敗することはない。
【実施例４】
【００４５】
実施例４は、前記実施例２によりアップロードを中断した場合、次のアップロード開始処理において、中断したコンテンツのアップロードを好適に再開させるものである。すなわち、前記図７のアップロード中断処理（Ｓ７００）により、コンテンツの中断ポイントの情報は中断情報保存手段２２４へ記録されている。
【００４６】
図１２は、アップロードが中断したコンテンツに対するアップロード再開処理のフローチャート（Ｓ１２００）を示す。
ステップＳ１２０１では、ユーザからアップロードの指示を受ける。
ステップ１２０２では、中断情報保存手段２２４からアップロード中断コンテンツの情報を読み出す。
ステップ１２０３では、読み出した情報から中断コンテンツが存在するか否かを判定する。中断コンテンツが存在する場合はステップＳ１２０４へ進む。中断コンテンツが存在しない場合は、通常のアップロード処理を行う。すなわち、前記図３のステップＳ３０３へ進み、保存しているコンテンツファイルを表示し、以後、選択されたファイルのアップロード処理を行う。
【００４７】
ステップＳ１２０４では、中断コンテンツのサムネイルを表示する（図１３）。中断コンテンツが複数存在する場合は、それらのサムネイルを一覧表示する。
ステップＳ１２０５では、アップロード再開を行うコンテンツをユーザに選択させる。アップロード再開をキャンセルした場合は、何もせずに終了する。アップロード再開が選択された場合は、ステップＳ１２０６へ進む。
ステップＳ１２０６では、通信モジュール部２１３は中断コンテンツについてその中断ポイントからアップロード処理を再開する。アップロード処理の内容は前記図３のステップＳ３０５以降と同様である。
ステップＳ１２０７では、アップロードが終了したら、当該中断コンテンツの情報を中断情報保存手段２２４から削除する。
【００４８】
図１３は、図１２のステップＳ１２０４におけるアップロードの再開画面の表示例である。画面１３００には、再開メッセージ１３０１、再開ポイントのサムネイル１３０２、電池残量インジケータ１３０３、現在の電池残量１３０４、再開釦１３０５、キャンセル釦１３０６が表示される。メッセージ１３０１では、アップロードが中断されたコンテンツが存在することを知らせ、そのアップロード再開を促す内容とする。再開釦１３０５はユーザがアップロードを再開するときに選択し、キャンセル釦１４０６は再開しないときに選択する。
【００４９】
実施例４によれば、アップロードが中断したコンテンツが存在するとき、自動的にユーザに知らせアップロードの再開を促すものである。よってユーザは、過去にアップロードが中断したことを意識していない場合でも、確実かつスムーズにアップロードを再開することができる。
【００５０】
上記した各実施例の構成や処理内容は一例を示したものであり、また各実施例の内容を適宜組み合わせることも可能である。
【図面の簡単な説明】
【００５１】
【図１】本発明の撮像装置を用いたコンテンツ送信システムの一例を示す構成図。
【図２】本発明の撮像装置の一実施例を示す構成図。
【図３】実施例１のコンテンツアップロード処理を示すフローチャート。
【図４】図３のアップロード用ファイルの選択画面の表示例。
【図５】図３の警告画面（Ｓ３１０）の表示例。
【図６】実施例２のアップロード処理を示すフローチャート。
【図７】図６のアップロード中断処理（Ｓ６０８）のフローチャート。
【図８】図６のアップロード開始画面の表示例。
【図９】図７のアップロード中断画面の表示例。
【図１０】実施例３のアップロード処理を示すフローチャート。
【図１１】図１０の警告画面（Ｓ１００４）の表示例
【図１２】実施例４のアップロード再開処理を示すフローチャート。
【図１３】図１２のアップロード再開画面の表示例。
【符号の説明】
【００５２】
１００（２００）…撮像装置、１０２…アクセスポイント／ルータ、１０３…インターネット、１０４…ＷＥＢサーバ、１０５…コンテンツデータ、２０２…撮像素子、２０３…カメラＤＳＰ、２０４…マイク、２０５…圧縮伸長回路、２０６…ＣＰＵ、２０７…メモリ（ＲＡＭ）、２０８…コンテンツ蓄積部、２０９…グラフィック回路、２１０…表示部、２１１…電源回路、２１２…電源、２１３…通信モジュール部、２１４…ＲＯＭ、２２１…節電モード設定手段、２２２…電源判別手段、２２３…電池残量取得手段、２２４…中断情報保存手段、２２５…電池残量予測手段。
【図１】
2010118754.tif 000003
【図２】
2010118754.tif 000004
【図３】
2010118754.tif 000005
【図４】
2010118754.tif 000006
【図５】
2010118754.tif 000007
【図６】
2010118754.tif 000008
【図７】
2010118754.tif 000009
【図８】
2010118754.tif 000010
【図９】
2010118754.tif 000011
【図１０】
2010118754.tif 000012
【図１１】
2010118754.tif 000013
【図１２】
2010118754.tif 000014
【図１３】
2010118754.tif 000015